(57)【要約】    基板（１００）は、その中心部よりも端部に近い領域に、１つの細長い貫通穴（３１）から構成される分離帯（３０）を有する。熱および電気的ノイズの発生源となる第１群電子部品（１０）は、基板（１００）の分離帯（３０）より中心部の側である第１領域（１０１）に配置される。また、他の部品からの熱または電気的ノイズの影響をできる限り排除する必要がある第２群電子部品（２０）は、基板（１００）の分離帯（３０）より端部の側である第２領域（１０２）に配置される。
2015177904.tif 000002
【特許請求の範囲】
【請求項１】
電動モータの駆動を制御するための複数の電子部品が実装された基板を備えた電動モータ用制御装置であって、
前記基板の中心部よりも端部に近い領域に、前記基板に設けられた貫通穴および切り欠きのいずれか一方または両方を含む分離帯を有し、
前記複数の電子部品は、機能または特性により第１群電子部品と第２群電子部品に分類され、前記第１群電子部品と前記第２群電子部品は、前記分離帯を隔てて配置されることを特徴とする電動モータ用制御装置。
【請求項２】
前記分離帯は、直線上に配置された複数の前記貫通穴を含むことを特徴とする請求項１記載の電動モータ用制御装置。
【請求項３】
前記貫通穴は、内側に導体が形成されていることを特徴とする請求項１または請求項２記載の電動モータ用制御装置。
【請求項４】
モータ端子線、パワーモジュール端子線、およびその他の端子線の少なくとも１つは、前記貫通穴または前記切り欠きを通って配置されることを特徴とする請求項１記載の電動モータ用制御装置。
【請求項５】
前記第１群電子部品は、その動作により発生する熱または電気的ノイズが前記第２群電子部品よりも大きく、熱または電気的ノイズの発生源となる部品を少なくとも１つ含み、前記第２群電子部品は、その性能を達成するために他の部品からの熱または電気的ノイズの影響を排除する必要がある部品を少なくとも１つ含むことを特徴とする請求項１記載の電動モータ用制御装置。
【請求項６】
前記第１群電子部品は、前記基板の前記分離帯より前記中心部の側である第１領域に配置され、前記第２群電子部品は、前記基板の前記分離帯より前記端部の側である第２領域に配置されることを特徴とする請求項５記載の電動モータ用制御装置。
【請求項７】
前記基板は、前記分離帯を複数有すると共に、前記第２領域を複数有することを特徴とする請求項６記載の電動モータ用制御装置。
【発明の詳細な説明】
【技術分野】
【０００１】
本発明は、電動モータ用制御装置に関するものである。
【背景技術】
【０００２】
電動モータ用制御装置は、電動モータの駆動を制御するための複数の電子部品が実装されたコントローラ基板を備えている。従来、電動モータ駆動用のインバータを構成する半導体スイッチング素子のオン、オフのタイミングを制御するコントローラ装置が知られている。【０００３】
例えば特許文献1に示された電動式パワーステアリング装置は、電動モータを駆動制御するマイクロコンピュータ等の電子部品が半田によって多層プリント基板上に実装されたコントローラ基板を備えている。この例では、略長方形のコントローラ基板は、その中央にモータのシャフトを通すための穴が設けられている。
【先行技術文献】
【特許文献】
【０００４】
【特許文献１】特許第４８７７２６５号公報
【発明の概要】
【発明が解決しようとする課題】
【０００５】
近年、電動モータの駆動制御の複雑化に伴い、コントローラ基板に実装されたマイクロコンピュータやプリドライバ等の半導体部品が発生する熱量が大きくなっており、これらの発熱部品から発生した熱が基板上の他の電子部品に及ぼす影響が大きくなるという問題がある。例えば温度センサのような電子部品は、本来の性能を達成するために、他の電子部品からの熱の影響をできる限り排除する必要がある。【０００６】
また、発熱の問題のみならず、マイクロコンピュータやプリドライバ等の消費電力が増大し動作周波数が高くなると、これらの半導体部品から発生する電気的ノイズが増大するという問題がある。例えばマイクロコンピュータから発生したスイッチングノイズが、プリント基板のグランド層や電源層を介して他の電子部品に伝わり、その電子部品の動作や性能に悪影響を及ぼすことがある。【０００７】
一方、電気機器に対する小型化および軽量化の要求は年々厳しさを増しており、コントローラ基板の高密度実装化が進んでいる。このため、電子部品相互間の熱や電気的ノイズの影響はさらに大きくなる傾向にあり、上記の問題は一層深刻化している。上記特許文献１では、コントローラ基板の中央に穴が設けられているが、電子部品相互間の熱や電気的ノイズの伝搬を効果的に遮ることが可能な構造とはなっていない。【０００８】
本発明は、上記問題点に鑑み、電動モータの駆動を制御するための複数の電子部品が実装された基板において、電子部品相互間の熱および電気的ノイズの影響を抑制することが可能な電動モータ用制御装置を提供することを目的とする。
【課題を解決するための手段】
【０００９】
本発明に係る電動モータ用制御装置は、電動モータの駆動を制御するための複数の電子部品が実装された基板を備え、基板の中心部よりも端部に近い領域に、基板に設けられた貫通穴および切り欠きのいずれか一方または両方を含む分離帯を有し、複数の電子部品は、機能または特性により第１群電子部品と第２群電子部品に分類され、第１群電子部品と第２群電子部品は分離帯を隔てて配置されるものである。
【発明の効果】
【００１０】
本発明に係る電動モータ用制御装置によれば、機能または特性により分類された第１群電子部品と第２群電子部品とを分離帯を隔てて配置することにより、第１群電子部品と第２群電子部品との間の熱および電気的ノイズの伝搬を効果的に遮ることができ、第1群電子部品と第２群電子部品の相互間の熱および電気的ノイズの影響を抑制することが可能である。
この発明の上記以外の目的、特徴、観点及び効果は、図面を参照する以下のこの発明の詳細な説明から、さらに明らかになるであろう。
【図面の簡単な説明】
【００１１】
【図１】本発明の実施の形態１に係るモータ駆動装置の構成を示す図である。
【図２】本発明の実施の形態１に係るコントローラ基板における分離帯を示す図である。
【図３】本発明の実施の形態１に係るコントローラ基板における分離帯の変形例を示す図である。
【図４】本発明の実施の形態１に係るコントローラ基板における分離帯の変形例を示す図である。
【図５】本発明の実施の形態２に係るコントローラ基板における分離帯を示す図である。
【図６】本発明の実施の形態２に係るコントローラ基板における分離帯の変形例を示す図である。
【図７】本発明の実施の形態２に係るコントローラ基板における分離帯の変形例を示す図である。
【図８】本発明の実施の形態３に係るコントローラ基板における分離帯を示す図である。
【図９】本発明の実施の形態３に係るコントローラ基板における分離帯の変形例を示す図である。
【図１０】本発明の実施の形態４に係るコントローラ基板における分離帯を示す図である。
【図１１】本発明の実施の形態４に係るコントローラ基板における分離帯の変形例を示す図である。
【図１２】本発明の実施の形態４に係るコントローラ基板においてスルーホールにより接続される信号線を示す図である。
【発明を実施するための形態】
【００１２】
実施の形態１．
以下に、本発明の実施の形態１に係る電動モータ用制御装置について、図面に基づいて説明する。図1は、本実施の形態１に係る電動モータ用制御装置を備えたモータ駆動装置の構成を示し、図２は、本実施の形態１に係る電動モータ用制御装置のコントローラ基板を示している。なお、各図において同一または相当部分には同一符号を付している。
【００１３】
電動モータ用制御装置のコントローラ基板１（図１中、点線で示す）には、電動モータであるモータ４の駆動を制御するための複数の電子部品が実装されている。コントローラ基板１は、モータ４を駆動するための制御演算を行うと共に、モータ４を駆動するインバータ５を駆動する。なお、本実施の形態１では、モータ４として３相ブラシレスモータを採用している。
【００１４】
マイクロコンピュータ１１は、モータ４を駆動するための制御演算を行う。プリドライバ１２は、マイクロコンピュータ１１による演算結果に基づいてインバータ５を駆動する。インバータ５は、バッテリ６からの直流電力を、モータ４の駆動に必要な３相交流電力に変換する。
【００１５】
電源部１３は、バッテリ６からの直流電圧を所望の直流電圧に変圧し、コントローラ基板１に実装されているマイクロコンピュータ１１やプリドライバ１２等の電子部品や、コントローラ基板１には実装されていないがモータ駆動装置に必要な回転センサ７等の電子部品に供給する。本実施の形態１では、電源部１３としてＤＣＤＣスイッチング電源を採用している。ＤＣＤＣスイッチング電源は、一般的に、スイッチング周波数に起因するスイッチングノイズを発生する。
【００１６】
温度センサ２１は、コントローラ基板１の雰囲気温度や基板温度を検出する。マイクロコンピュータ１１は、温度センサ２１が検知した温度情報を取り込み、この温度情報に基づいてモータ４の駆動に関する制御量を調整する。本実施の形態１では、温度センサ２１として、サーミスタ素子が用いられる。
【００１７】
ノイズ対策部品２２は、例えばインバータ５において発生するスイッチングノイズやサージノイズ等、マイクロコンピュータ１１やプリドライバ１２の誤動作や破壊を招く恐れのあるノイズを吸収またはバイパスさせる。本実施の形態１では、ノイズ対策部品２２として、バイパスコンデンサやツェナーダイオード等が用いられる。
【００１８】
回転センサ７は、モータ４の回転角度を検出する。マイクロコンピュータ１１は、回転センサ７が検出した回転角度に基づいてモータ４を駆動制御する。回転センサ７として、レゾルバ、ホール素子センサ、磁気抵抗素子センサ等が用いられる。なお、図１に示す例では、回転センサ７はコントローラ基板１の外部に配置されているが、回転センサ７がホール素子センサや磁気抵抗素子センサ等の基板に実装可能なパッケージ品である場合、コントローラ基板１上に配置しても良い。
【００１９】
次に、コントローラ基板１における各電子部品の配置について、図２を用いて説明する。コントローラ基板１を構成する基板１００は、例えばガラスエポキシ基板により形成される４層のプリント基板である。なお、図２に示す例では、基板１００の外形はモータ４の径に合わせた円形であるが、図３に示すような長方形や、モータ４、インバータ５等の他部材の構造を考慮した複雑な外形であっても良い。
【００２０】
基板１００に実装される複数の電子部品は、その機能または特性によって第１群電子部品１０と第２群電子部品２０に分類される。第１群電子部品１０は、その動作により発生する熱または電気的ノイズが比較的大きく、熱または電気的ノイズの発生源となる部品を少なくとも１つ含んでいる。本実施の形態１では、マイクロコンピュータ１１、プリドライバ１２、および電源部１３が第１群電子部品１０に含まれる。第１群電子部品１０から発生する熱または電気的ノイズは、少なくとも第２群電子部品２０から発生する熱または電気的ノイズよりも大きい。
【００２１】
一方、第２群電子部品２０は、その部品の性能を達成するために他の部品からの熱または電気的ノイズの影響をできる限り排除する必要がある部品を少なくとも１つ含んでいる。本実施の形態１では、温度センサ２１およびノイズ対策部品２２が第２群電子部品２０に含まれる。なお、第１群電子部品１０および第２群電子部品２０には、上記以外の電子部品が含まれていても良い。
【００２２】
基板１００は、その中心部よりも端部に近い領域に、基板１００に設けられた貫通穴および切り欠きのいずれか一方または両方を含む分離帯３０を有する。図２では、分離帯３０は、直線上に配置された１つの細長い貫通穴３１から構成されている。なお、貫通穴３１は電気的な接続を目的としない、いわゆる裸穴である。
【００２３】
第１群電子部品１０と第２群電子部品２０は、分離帯３０を隔てて配置される。第１群電子部品１０は、基板１００の分離帯３０より中心部の側である第１領域１０１に配置される。また、第２群電子部品２０は、基板１００の分離帯３０より端部の側である第２領域１０２に配置される。
【００２４】
なお、図２において、第１領域１０１および第２領域１０２の範囲を便宜的に点線で示しているが、これらの範囲は限定されるものではない。第１領域１０１は、基板１００の分離帯３０より中心部の側であれば良く、第２領域１０２は、基板１００の分離帯３０より端部の側であれば良い。また、図２では、第２領域１０２を示す点線の枠内に基板１００以外の領域を含んでいるが、実際には、第２領域１０２は基板１００上の領域のみである。
【００２５】
分離帯３０は、第１領域１０１と第２領域１０２との間の熱および電気的ノイズの伝搬を効果的に遮ることができるものであれば良く、その形状や配置は様々な変形が可能である。図３に示す例では、矩形の基板１００に設けられた分離帯３０は、湾曲した細長い貫通穴３１ａから構成されている。また、図４に示す例では、分離帯３０は１つの切り欠き３２から構成されている。このように、分離帯３０の形状や配置は、基板１００の形状や実装される電子部品の配置に応じて適宜、変更することができる。
【００２６】
本実施の形態１において、コントローラ基板１に分離帯３０を設けることにより得られる様々な作用および効果について、以下に説明する。モータ４を高精度で制御するために複雑な演算処理が行われる場合、マイクロコンピュータ１１の演算量が増大し、高速に演算処理を行うために動作周波数が高くなる。これに伴いマイクロコンピュータ１１の消費電力が増加し、発熱量が増加する。
【００２７】
また、モータ４に求められる回転トルクや出力が大きくなると、インバータ５を流れる電流が増加する。これに伴い、インバータ５を駆動するプリドライバ１２の消費電力が増加し、発熱量が増加する。さらに、マイクロコンピュータ１１やプリドライバ１２の消費電力が増加すると、電源部１３で生成される電力が増加し、電源部１３の発熱量も増加する。
【００２８】
その一方で、省資源、省エネルギーの観点から製品および部品の小型化、軽量化が求められており、放熱性の確保が困難になっている。このような事情から、近年、電子部品の使用温度の管理をより一層厳しく行うことが求められている。このような要求に対し、基板１００に貫通穴３１を含む分離帯３０を設けることが有効である。
【００２９】
分離帯３０を設けた基板１００においては、第１領域１０１と第２領域１０２の間の熱媒体の一部が、基板１００を形成するガラスエポキシ樹脂や各層の銅箔に代わって空気となる。空気の熱伝導率は、ガラスエポキシ樹脂や銅箔の熱伝導率と比較して非常に低いため、第１領域１０１と第２領域１０２の間の熱伝導性が低下する。従って、第２領域１０２に配置された第２群電子部品２０は、第１領域１０１に配置された第１群電子部品１０から発生する熱の影響を受けにくくなる。
【００３０】
例えば、温度センサ２１であるサーミスタ素子は、コントローラ基板１周辺の雰囲気温度を検出するものであるが、基板１００に実装されている他の電子部品から熱の影響を受けると、正確な温度情報を検出することが困難となる。すなわち、温度センサ２１は、正確な温度情報を検出するために、周囲の電子部品からの熱の影響を受けないように配置される必要がある。
【００３１】
本実施の形態１では、発熱量が比較的大きい第１群電子部品１０は第１領域１０１に配置され、温度センサ２１は第２領域１０２に配置される。このように、温度センサ２１と第１群電子部品１０とを分離帯３０を隔てて配置することにより、温度センサ２１は、第１群電子部品１０から発生する熱の影響を受けにくくなる。これにより、温度センサ２１は、コントローラ基板１周辺の雰囲気温度を正確に測定することが可能となる。
【００３２】
また、ノイズ対策部品２２であるツェナーダイオードは、例えばインバータ５のスイッチング動作に起因するサージノイズが発生した場合、そのサージノイズを抑制し、マイクロコンピュータ１１やプリドライバ１２等の集積回路が、サージノイズによるＥＯＳ（Ｅｌｅｃｔｒｉｃａｌ  Ｏｖｅｒ  Ｓｔｒｅｓｓ）により破壊されるのを防止する効果がある。
【００３３】
しかし、他の電子部品から発生する熱の影響によりツェナーダイオードの温度が上昇した場合、ツェナー電圧等の特性が変化することにより、サージノイズを抑制する効果が低下する恐れがある。サージノイズの抑制は、例えば数マイクロ秒（μｓ）の非常に短い時間に対して求められるため、ツェナーダイオードの特性の安定性は非常に重要である。
【００３４】
本実施の形態１では、発熱量が比較的大きい第１群電子部品１０は第１領域１０１に配置され、ノイズ対策部品２２は第２領域１０２に配置される。このように、ノイズ対策部品２２と第１群電子部品１０とを分離帯３０を隔てて配置することにより、ノイズ対策部品２２は、第１群電子部品１０から発生する熱の影響を受けにくくなる。これにより、ノイズ対策部品２２の温度が安定し、サージノイズを抑制する効果を維持することができる。
【００３５】
このように、第２群電子部品２０は、第１群電子部品１０から発生する熱の影響を受けにくくなることで、部品の温度をより低く保つことができ、部品としての特性または機能を安定させることができる。その結果、第２群電子部品２０の信頼性が向上し、モータ駆動装置としての故障率の低減にも効果を奏する。
【００３６】
また、４層のプリント基板の場合、内側の２層をグランド層および電源層として用いることが多い。分離帯３０は、多層プリント基板の内層に配置されるグランド層や電源層を部分的に分断するため、第１領域１０１と第２領域１０２のインピーダンスを高くすることができ、相互のノイズの影響を抑制する効果がある。
【００３７】
第１群電子部品１０には、消費電流が大きく、スイッチング動作をするためにノイズ発生源となる部品が含まれる。第１群電子部品１０と第２群電子部品２０とを、分離帯３０を隔てて配置することにより、第１群電子部品１０から発生したノイズが、グランド層や電源層を経由して第２群電子部品２０に伝搬するのを抑制することができる。
【００３８】
ただし、第２領域１０２に配置される第２群電子部品２０は、温度センサ２１やノイズ対策部品２２に限定されるものではない。第２群電子部品２０に含まれる電子部品は、その部品自体の発熱量やノイズ発生量が比較的小さいものであれば良い。また、本実施の形態１では、第１群電子部品１０を第１領域１０１に配置し、第２群電子部品２０を第２領域１０２に配置したが、これを反対にしても良い。
【００３９】
分離帯３０が第１領域１０１と第２領域１０２の間の熱伝導性を低下させる効果やインピーダンスを高くする効果は、分離帯３０が配置される直線の方向に対して、分離帯３０を構成する貫通穴３１または切り欠き３２が基板１００を分断する割合（図２中、貫通穴３１の長さをＬ１、貫通穴３１が配置された直線方向の基板１００の幅をＬ２とした時、Ｌ１／Ｌ２）が大きいほど大きい。
【００４０】
図２〜図４に示す例では、分離帯３０を構成する貫通穴３１または切り欠き３２が、基板１００を分断する割合（Ｌ１／Ｌ２）を、８０％以上としている。この割合が小さくなると、分離帯３０の効果が減少する。熱およびノイズに対して有意な抑制効果を得るために必要な上記割合の下限値は、実験的に求めた結果、約４０％であった。
【００４１】
なお、コントローラ基板１に熱対策やノイズ対策のための新たな部品を追加する場合、コストの上昇や装置の大型化を伴うことになる。これに対し、基板１００に分離帯３０を設けることは、従来の製造工程の中で行うことができ、コストの上昇や装置の大型化を招くことなく、コントローラ基板１の性能を向上させることが可能である。
【００４２】
また、分離帯３０の別の効果として、モータ駆動装置を構成するモータ端子線、パワーモジュール端子線、またはその他の端子線を、分離帯３０を構成する貫通穴３１または切り欠き３２を通して配置することができる。
【００４３】
インバータ５のリード端子線や、モータ４のモータ端子線は、コントローラ基板１に貫通穴３１が無い場合には、コントローラ基板１を迂回するように配置されるが、これらを貫通穴３１に通すことで、コントローラ基板１の片側から反対側へ渡すことができる。このように、分離帯３０は、インバータ５やモータ４の部品を効率良く配置し、モータ駆動装置として小型化を図る効果もある。
【００４４】
さらに、分離帯３０の別の効果として、コントローラ基板１に実装された電子部品や、モータ４、インバータ５等から発生した熱によって温度が上昇した空気を、貫通穴３１または切り欠き３２から外部へ排出することにより、モータ駆動装置の放熱性を向上させることができる。
【００４５】
モータ４、インバータ５、およびコントローラ基板１を一体化した構造のモータ駆動装置を例に挙げると、分離帯３０を有していないコントローラ基板１をモータ駆動装置の上部に配置した場合、コントローラ基板１が蓋のようになり、熱対流性が悪くなる。このような場合、コントローラ基板１下部の熱せられた空気は外部へ流れ出ることができず、モータ駆動装置の放熱性が低下する。
【００４６】
これに対し、分離帯３０を有するコントローラ基板１を配置した場合には、コントローラ基板１下部の熱せられた空気は、貫通穴３１または切り欠き３２を通って外部へ流れ出る。このため、モータ駆動装置内部の熱対流性が良くなり、放熱性が向上する。
【００４７】
以上のように、本実施の形態１によれば、第１群電子部品１０と第２群電子部品２０とを分離帯３０を隔てて配置することにより、第１群電子部品１０から発生した熱や電気的ノイズが第２群電子部品２０に伝搬するのを効果的に遮ることができる。これにより、第２群電子部品２０は、第１群電子部品１０から発生した熱や電気的ノイズの影響を受けにくくなり、第２群電子部品２０の特性または機能が安定し、信頼性が向上する。
【００４８】
また、モータ端子線等の端子線を貫通穴３１または切り欠き３２を通して配置することができるため、部品を効率的に配置することができる。さらに、コントローラ基板１に貫通穴３１または切り欠き３２を設けることにより、装置内部の熱せられた空気が外部に排出されやすくなり、放熱性が向上する。これらのことから、本実施の形態１に係る電動モータ用制御装置を用いたモータ駆動装置は、故障率の低減、装置の小型化、および信頼性の向上が図られる。
【００４９】
実施の形態２．
図５〜図７は、本発明の実施の形態２に係るコントローラ基板の分離帯を示している。本実施の形態２では、上記実施の形態１で説明した分離帯３０の変形例として、分離帯３０が貫通穴３１または切り欠き３２を複数含む場合について説明する。なお、本実施の形態２に係るモータ駆動装置の構成は、上記実施の形態１と同様であるので、図１を流用し、詳細な説明を省略する。
【００５０】
図５に示す例では、分離帯３０は、同一形状の３個の貫通穴３１ｂ、３１ｃ、３１ｄを有し、それらが直線上に配置されている。なお、貫通穴の数は３個に限らず、２個や４個以上であっても良い。また、図５では、３個の貫通穴３１ｂ、３１ｃ、３１ｄはそれぞれ同一形状であるが、同一形状でなくても良い。さらに、貫通穴３１ｂ、３１ｃ、３１ｄは直線上に配置されることが望ましいが、第１領域１０１と第２領域１０２の間の熱伝導性を低下させる効果が得られるのであれば、図６に示すように、多少ずれていても良い。
【００５１】
また、図７に示す例では、分離帯３０は、切り欠き３２ａと貫通穴３１ｄを有している。このように、複数の切り欠きと貫通穴が混在していても良い。その場合においても、切り欠きと貫通穴は直線上に配置されることが望ましいが、多少ずれていても良い。
【００５２】
本実施の形態２では、図５〜図７のいずれの場合においても、複数の貫通穴３１ｂ、３１ｃ、３１ｄまたは切り欠き３２ａの間に存在する基板部分に、配線パターンを配置することができる。分離帯３０が１つの細長い貫通穴３１から構成されている場合（図２参照）、第１領域１０１に配置された第１群電子部品１０と、第２領域１０２に配置された第２群電子部品２０とを結線する際、配線パターンは貫通穴３１を迂回するため長くなる。
【００５３】
配線パターンが長くなると、外来ノイズの影響を受ける可能性や配線パターンのインダクタンス成分が増大する可能性がある。温度センサ２１が外来ノイズの影響を受けた場合、マイクロコンピュータ１１が温度センサ２１の検出した温度情報を取り込むための信号に悪影響を及ぼし、温度情報の正確性が低下し、コントローラ基板１の性能を低下させることがある。
【００５４】
また、ノイズ対策部品２２に接続される配線パターンのインダクタンス成分が増大した場合、急峻なサージ電圧を抑制することができなくなり、ノイズ対策部品２２としての性能に悪影響を及ぼし、コントローラ基板１の性能を低下させることがある。
【００５５】
本実施の形態２によれば、上記実施の形態１と同様の効果に加え、分離帯３０を複数の貫通穴３１または切り欠き３２で構成することにより、複数の貫通穴３１または切り欠き３２の間の基板部分に配線パターンを配置することができるため、配線パターンの迂回による悪影響を回避することができる。
【００５６】
実施の形態３．
図８および図９は、本発明の実施の形態３に係るコントローラ基板の分離帯を示している。本実施の形態３では、上記実施の形態１で説明した分離帯３０の変形例として、基板１００に分離帯３０が複数設けられた場合について説明する。なお、本実施の形態３に係るモータ駆動装置の構成は、上記実施の形態１と同様であるので、図１を流用し、詳細な説明を省略する。
【００５７】
図８に示す例では、基板１００の上下２箇所に、１つの細長い貫通穴３１から構成された分離帯３０が配置されている。また、図９に示す例では、基板１００の上部には１つの細長い貫通穴３１から構成された分離帯３０が配置され、基板１００の下部には切り欠き３２ａと貫通穴３１ｄを有する分離帯３０が配置されている。
【００５８】
いずれの場合も、基板１００は、２つの第２領域１０２を有しており、それぞれに第２群電子部品２０が配置される。なお、図８および図９では、分離帯３０を基板１００の２箇所に設けているが、３箇所以上であっても良い。また、複数の分離帯３０を設ける場合、それぞれの分離帯３０における貫通穴３１または切り欠き３２の形状および個数は限定されるものではない。
【００５９】
上記実施の形態１および実施の形態２のように第２領域１０２が１箇所しかない場合、第１領域１０１に配置されたマイクロコンピュータ１１やプリドライバ１２等の複数の集積回路の全てに対して、温度センサ２１やノイズ対策部品２２を近接して配置することは困難であり、配線パターンが長くなる。
【００６０】
これに対し、本実施の形態２では、複数の集積回路のそれぞれに対して、温度センサ２１やノイズ対策部品２２を近接して配置することができる。また、本実施の形態３においても、上記実施の形態２と同様に、分離帯３０を複数の貫通穴３１または切り欠き３２で構成することにより、それらの間の基板部分に配線パターンを配置することができる。
【００６１】
本実施の形態３によれば、上記実施の形態１および実施の形態２と同様の効果に加え、基板１００が第２領域１０２を複数有することにより、第２群電子部品２０をより効率的に配置することが可能となる。
【００６２】
実施の形態４．
図１０および図１１は、本発明の実施の形態４に係るコントローラ基板の分離帯を示している。本実施の形態４に係るコントローラ基板１の分離帯３０Ａは、内側に導体が形成された貫通穴であるスルーホール３３を含んで構成される。なお、本実施の形態４に係るモータ駆動装置の構成は、上記実施の形態１と同様であるので、図１を流用し、詳細な説明を省略する。
【００６３】
図１０に示す例では、分離帯３０Ａは、複数のスルーホール３３を有し、それらが直線上に配置されている。なお、複数のスルーホール３３は、ほぼ直線上に配置されることが望ましいが、第１領域１０１と第２領域１０２の間の熱伝導性を低下させる効果が得られるのであれば、図１１に示すように多少ずれていても良い。
【００６４】
スルーホール３３は、コントローラ基板１への入力信号や、コントローラ基板１からの出力信号を接続するコネクタの役割を持つ。コントローラ基板１は、モータ４を駆動するためにインバータ５へ駆動信号を出力するため、コントローラ基板１とインバータ５は、バスバーやケーブル等で結線される。この時、バスバーやケーブルの一端は、スルーホール３３に挿入され、半田によって電気的接続および構造的接続の安定性が確保される。なお、コントローラ基板１は、インバータ５の他、モータ４、回転センサ７、およびバッテリ６とも接続されるが、その際にもスルーホール３３を利用することができる。
【００６５】
本実施の形態４に係るコントローラ基板１において、スルーホール３３により接続される信号および電源について、図１２を用いて説明する。インバータ５を構成するＨｉｇｈ側ＭＯＳＦＥＴ５１のゲートに接続される端子８１、ドレインに接続される端子８２、ソースに接続される端子８３、Ｌｏｗ側ＭＯＳＦＥＴ５２のゲートに接続される端子８４、ソースに接続される端子８５、バッテリ６と接続される電源端子８６、グランド端子８７、および回転センサ７の回転角度信号用端子８８が、スルーホール３３を利用して接続される。
【００６６】
なお、インバータ５を構成する半導体スイッチング素子は、ＭＯＳＦＥＴに限定されるものではなく、ＩＧＢＴやバイポーラトランジスタのような他の半導体スイッチング素子であってもよい。
【００６７】
複数のスルーホール３３から構成された分離帯３０Ａにおいても、上記実施の形態１と同様に、第１領域１０１と第２領域１０２の間の熱伝導性を低下させる効果やインピーダンスを高くする効果が得られる。また、これらの効果は、分離帯３０Ａが配置される直線の方向に対して、分離帯３０Ａを構成するスルーホール３３が基板１００を分断する割合が大きいほど大きい。
【００６８】
図１０および図１１に示す例では、分離帯３０Ａを構成するスルーホール３３が基板１００を分断する割合を、５０％以上としている。この割合が小さくなると、分離帯３０Ａの効果が減少する。熱およびノイズに対して有意な抑制効果を得るために必要な上記割合の下限値は、実験的に求めた結果、約４０％であった。
【００６９】
なお、スルーホール３３は半田で塞がれるため、上記実施の形態１〜実施の形態３における貫通穴３１のように、熱媒体が全てガラスエポキシ樹脂や銅箔から空気に置き替わるわけではない。ただし、グランド層や電源層等、熱伝導性が高い銅箔層の一部がスルーホール３３に置き替わることにより、第１領域１０１と第２領域１０２の間の熱伝導性を低下させる効果が期待できる。
【００７０】
また、分離帯３０Ａは、電気的接続を目的としたスルーホール３３と、電気的接続を目的としない貫通穴３１または切り欠き３２とを含んでいても良い。また、１つの基板１００に、スルーホール３３を有する分離帯３０Ａと、貫通穴３１を有する分離帯３０の両方が設けられていても良い。
【００７１】
本実施の形態４によれば、上記実施の形態１〜実施の形態３と同様の効果に加え、分離帯３０Ａを構成するスルーホール３３を、コントローラ基板１とインバータ５等の他の部品との電気的接続に利用することができるため、コントローラ基板１の設計の自由度が向上する。なお、本発明は、その発明の範囲内において、各実施の形態を自由に組み合わせたり、各実施の形態を適宜、変形、省略することが可能である。
【図１】
2015177904.tif 000003
【図２】
2015177904.tif 000004
【図３】
2015177904.tif 000005
【図４】
2015177904.tif 000006
【図５】
2015177904.tif 000007
【図６】
2015177904.tif 000008
【図７】
2015177904.tif 000009
【図８】
2015177904.tif 000010
【図９】
2015177904.tif 000011
【図１０】
2015177904.tif 000012
【図１１】
2015177904.tif 000013
【図１２】
2015177904.tif 000014
【手続補正書】
【提出日】平成28年6月6日(2016.6.6)
【手続補正１】
【補正対象書類名】明細書
【補正対象項目名】００１３
【補正方法】変更
【補正の内容】
【００１３】
電動モータ用制御装置のコントローラ基板１（図１中、一点鎖線で示す）には、電動モータであるモータ４の駆動を制御するための複数の電子部品が実装されている。コントローラ基板１は、モータ４を駆動するための制御演算を行うと共に、モータ４を駆動するインバータ５を駆動する。なお、本実施の形態１では、モータ４として３相ブラシレスモータを採用している。 
【手続補正２】
【補正対象書類名】明細書
【補正対象項目名】００６０
【補正方法】変更
【補正の内容】
【００６０】
これに対し、本実施の形態３では、複数の集積回路のそれぞれに対して、温度センサ２１やノイズ対策部品２２を近接して配置することができる。また、本実施の形態３においても、上記実施の形態２と同様に、分離帯３０を複数の貫通穴３１または切り欠き３２で構成することにより、それらの間の基板部分に配線パターンを配置することができる。
【国際調査報告】
2015177904.tif 000015
2015177904.tif 000016
2015177904.tif 000017
2015177904.tif 000018